(57)【要約】  【課題】  フラットケーブルにフェライトコアを容易に位置決めして固定することができ、かつ、フラットケーブルの配線作業の作業性が向上するフラットケーブル用フェライトコアケースを提供する。  【解決手段】  フラットケーブル用フェライトコアケース１は、フラットケーブル２に対するフェライトコア３の取付け位置に配置された開閉可能なコアケース部４と、コアケース部４からフラットケーブル２の接続先１７へ向けて屈曲して延びる開閉可能な第１および第２ケーブルケース部５、６とを備える。第１および第２ケーブルケース部５、６は、フラットケーブル２の配線経路に沿った形状を有する。フェライトコア３をコアケース部４に収納するとともに、フラットケーブル２を第１および第２ケーブルケース部５、６に通すことにより、フラットケーブル２にフェライトコア３を位置決めして固定する。【選択図】  図１
2007317776.tif 000002
【特許請求の範囲】
【請求項１】
フラットケーブルに取り付けられたフェライトコアが収納され、前記フラットケーブルに対する前記フェライトコアの取付け位置に配置された開閉可能なコアケース部と、
前記コアケース部から前記フラットケーブルの接続先へ向けて屈曲して延び、前記フラットケーブルの配線経路に沿った形状を有しており、前記フラットケーブルが通される開閉可能なケーブルケース部とを備えたことを特徴とするフラットケーブル用フェライトコアケース。
【請求項２】
前記ケーブルケース部は、
前記コアケース部から延びるコア側ケーブル保持部と、前記コア側ベースから屈曲部を介して前記フラットケーブルの接続先へ向けて延びる接続先側ケーブル保持部とを備え、
前記コア側ケーブル保持部は、
板状のコア側ベース板と、前記コア側ベース板に開閉可能に備えられたコア側ベースカバーとを備え、
前記接続先側ケーブル保持部は、
板状の接続先側ベース板と、前記接続先側ベース板に開閉可能に備えられた接続先側ベースカバーとを備えたことを特徴とする請求項１に記載のフラットケーブル用フェライトコアケース。
【請求項３】
前記コアケース部の外側には、つまみ部を兼ねた突出部が設けられたことを特徴とする請求項１または請求項２に記載のフラットケーブル用フェライトコアケース。
【発明の詳細な説明】
【技術分野】
【０００１】
本発明は、フラットケーブルのノイズ対策用のフェライトコアを収納するフラットケーブル用フェライトコアケースに関するものである。
【背景技術】
【０００２】
従来、フラットケーブルを伝播するノイズ電流（ノイズ輻射の原因となる高周波電流）を抑えるために、フェライトコアが用いられている。フェライトコアの中央部にはケーブル挿通孔が設けられている。そして、ケーブル挿通孔にフラットケーブルを通すことにより、フラットケーブルにフェライトコアが取り付けられている（例えば、特許文献１および特許文献２参照）。
【０００３】
ところが、上記のようにケーブル挿通孔にフラットケーブルを通しただけの状態では、フェライトコアがフラットケーブルに沿って動いてしまう。フラットケーブル上をフェライトコアが動くと、フェライトコアが付近の機器や部品に衝突して、機器や部品を損傷したりフェライトコアが欠損するおそれがある。そこで、従来、フェライトコアをフラットケーブルにテープで固定する方法として、例えば、フェライトコアのケーブル挿通孔にフラットケーブルを通した後に、手作業でテープを巻きつけてフェライトコアをフラットケーブルに固定する方法が用いられている。
【特許文献１】特開２０００−１７３８２７号公報（第２頁、第６図）
【特許文献２】特開２０００−１７３８２８号公報（第２頁、第１２図、第１３図）
【発明の開示】
【発明が解決しようとする課題】
【０００４】
しかしながら、従来のフェライトコアの固定方法においては、テープを巻きつけてフェライトコアを固定する作業に手間がかかるという問題がある。また、テープを巻きつける作業中にフェライトコアの位置がずれてしまい、フェライトコアの取付け位置にばらつきが生じることがあるという問題がある。
【０００５】
また、従来、フラットケーブルの配線作業を行うときに、手作業でフラットケーブルを配線経路に沿った形状に折り曲げるのに手間を要し、折り曲げ位置にばらつきが生じるという問題がある。また、フラットケーブルはフレキシブル性を有しているので、差込み口を通してフラットケーブルを接続先（コネクタなど）に差し込むときに、フラットケーブルが撓んでしまい、フラットケーブルを接続先（コネクタなど）に差し込む作業が困難であるという問題がある。特に差込み口が狭いときには、ケーブルや部品の損傷を防ぐためにピンセット等の工具の使用が禁止されているので、フラットケーブルの差込み作業がさらに困難であるという問題がある。
【０００６】
本発明は、上記従来の問題を解決するためになされたもので、フラットケーブルにフェライトコアを容易に位置決めして固定することができ、かつ、フラットケーブルの配線作業の作業性が向上するフラットケーブル用フェライトコアケースを提供することを目的とする。
【課題を解決するための手段】
【０００７】
本発明のフラットケーブル用フェライトコアケースは、フラットケーブルに取り付けられたフェライトコアが収納され、前記フラットケーブルに対する前記フェライトコアの取付け位置に配置された開閉可能なコアケース部と、前記コアケース部から前記フラットケーブルの接続先へ向けて屈曲して延び、前記フラットケーブルの配線経路に沿った形状を有しており、前記フラットケーブルが通される開閉可能なケーブルケース部と、を備えた構成を有している。
【０００８】
この構成により、コアケース部を開いてフェライトコアを取付け位置に置き、コアケース部を閉じてフェライトコアを収納する。また、ケーブルケース部を開いてフラットケーブルを配線経路に沿って置き、ケーブルケース部を閉じてフラットケーブルを通した状態にする。これにより、フェライトコアをフラットケーブルに容易に固定することができる。このとき、フェライトコアはコアケース部に収納されているので、フェライトコアの取付け位置が位置決めされる。したがって、フェライトコアを容易に位置決めして固定することができ、フェライトコアの取付け位置にばらつきが生じるのを抑えることができる。また、ケーブルケース部を閉じることによって、配線経路に沿った所定の折り曲げ位置でフラットケーブルを簡単に折り曲げることができる。これにより、フラットケーブルの折り曲げ作業に手間を要することがなく、折り曲げ位置にばらつきが生じるのを抑えることができる。したがって、フラットケーブルの配線作業の作業性が向上する。
【０００９】
また、本発明のフラットケーブル用フェライトコアケースでは、前記ケーブルケース部は、前記コアケース部から延びるコア側ケーブル保持部と、前記コア側ベースから屈曲部を介して前記フラットケーブルの接続先へ向けて延びる接続先側ケーブル保持部とを備え、前記コア側ケーブル保持部は、板状のコア側ベース板と、前記コア側ベース板に開閉可能に備えられたコア側ベースカバーとを備え、前記接続先側ケーブル保持部は、板状の接続先側ベース板と、前記接続先側ベース板に開閉可能に備えられた接続先側ベースカバーとを備えた構成を有している。
【００１０】
この構成により、コア側ケーブル保持部のコア側ベースカバーを開いてコア側ベース板の上にフラットケーブルを置き、コア側ベースカバーを閉じてフラットケーブルをコア側ケーブル保持部で保持する。それと同時に、接続先側ケーブル保持部の接続先側ベースカバーを開いて接続先側ベース板の上にフラットケーブルを置き、接続先側ベースカバーを閉じてフラットケーブルを接続先側ケーブル保持部で保持する。これにより、差込み口を通してフラットケーブルを接続先（コネクタなど）に差し込むときに、フラットケーブルが撓むのを抑えることができ、フラットケーブルを接続先（コネクタなど）に容易に差し込むことができる。また、配線経路に沿った所定の折り曲げ位置でフラットケーブルを簡単に折り曲げることができる。したがって、フラットケーブルの配線作業の作業性が向上する。
【００１１】
また、本発明のフラットケーブル用フェライトコアケースでは、前記コアケース部の外側には、つまみ部を兼ねた突出部が設けられた構成を有している。
【００１２】
この構成により、差込み口を通してフラットケーブルを接続先（コネクタなど）に差し込むときに、つまみ部を兼ねた突出部をつまんでフラットケーブルを接続先（コネクタなど）に容易に差し込むことができる。したがって、フラットケーブルの配線作業の作業性が向上する。
【発明の効果】
【００１３】
本発明は、フェライトコアの取付け位置に配置されたコアケース部と、コアケース部からフラットケーブルの接続先へ向けて屈曲して延びるケーブルケース部を設けることにより、フラットケーブルにフェライトコアを容易に位置決めして固定することができ、かつ、フラットケーブルの配線作業の作業性が向上するという効果を有するフラットケーブル用フェライトコアケースを提供することができるものである。
【発明を実施するための最良の形態】
【００１４】
以下、本発明の実施の形態のフラットケーブル用フェライトコアケースについて、図面を用いて説明する。本実施の形態では、例えばデジタルカメラなどの小型の電子機器のケーブル（電源ケーブルや通信ケーブル等）に用いられるフラットケーブル用フェライトコアケースの場合を例示する。フェライトコアは、フラットケーブルを伝播するノイズ電流（ノイズ輻射の原因となる高周波電流）を抑えるものであり、本実施の形態では、フェライトコアの材料として強磁性の金属酸化物などが使用されている。
【００１５】
本発明の実施の形態のフラットケーブル用フェライトコアケースを図１〜図６に示す。図１および図６は、フラットケーブル用フェライトコアケース１の断面図であり、図２〜図５は、フラットケーブル用フェライトコアケース１の斜視図である。
【００１６】
図１〜図３に示すように、フラットケーブル用フェライトコアケース１は、フラットケーブル２に取り付けられたフェライトコア３が収納されるコアケース部４と、コアケース部４から上側（図１における上側）に向かって延びる第１ケーブルケース部５と、コアケース部４から下側（図１における下側）に向かって延びる第２ケーブルケース部６を備えている。
【００１７】
フラットケーブル２の配線経路は、上側の第１水平部分７と中央の垂直部分８と下側の第２水平部分９で構成されている（図１参照）。すなわち、フラットケーブル２の配線経路は、全体として階段状に屈曲しているともいえる。ここでは、第１水平部分７と垂直部分８との間の屈曲部分が、フラットケーブル２の第１折り曲げ位置１０であり、第２水平部分９と垂直部分８との屈曲部分が、第２折り曲げ位置１１である。そして、本実施の形態では、フラットケーブル２に対するフェライトコア３の取付け位置は、垂直部分８の中央部に設定されている。
【００１８】
図３に示すように、コアケース部４は、凹形状の凹ベース１２と、凹ベース１２に開閉可能に備えられた凹形状の凹ベースカバー１３を備えている。そして、凹ベースカバー１３を閉じた状態で、コアケース部４には、フェライトコア３の形状に対応する収納スペース１４が形成される。このように、コアケース部４は、フラットケーブル２に取り付けたフェライトコア３を収納できるように構成されている。
【００１９】
また、コアケース部４は、フラットケーブル２の配線経路におけるフェライトコア３の取付け位置（垂直部分８の中央部）に配置されている。また、コアケース部４の外側は、ケーブルの抜き差し方向（図１における左右方向）に向けて突出しており、コアケース部４の外側には突出部１５が設けられている。この突出部１５は、フラットケーブル２を接続先（コネクタなど）に差し込むときに取っ手として用いられるつまみ部を兼ねている。
【００２０】
第１ケーブルケース部５は、コアケース部４から上側に延びる第１コア側ケーブル保持部１６と、フラットケーブル２の第１接続先１７（第１コネクタなど）に向けて延びる第１接続先側ケーブル保持部１８と、第１コア側ケーブル保持部１６と第１接続先側ケーブル保持部１８の間に介在する第１屈曲部１９を備えている。
【００２１】
第１ケーブルケース部５は、フラットケーブル２の配線経路に沿った形状を有している（図１参照）。すなわち、第１コア側ケーブル保持部１６は、配線経路の垂直部分８の上側部分に対応し、第１接続先側ケーブル保持部１８は、配線経路の第１水平部分７に対応している。そして、第１屈曲部１９は、フラットケーブル２の第１折り曲げ位置１０に対応している。
【００２２】
図３に示すように、第１コア側ケーブル保持部１６は、板状の第１コア側ベース板２０と、第１コア側ベース板２０に開閉可能に備えられた第１コア側ベースカバー２１を備えている。なお、本実施の形態では、第１コア側ベースカバー２１は、コアケース部４の凹ベースカバー１３と一体に形成されている。そして、第１コア側ベースカバー２１を閉じた状態で、第１コア側ケーブル保持部１６には、フラットケーブル２の形状に対応する第１コア側保持スペース２２が形成される。このように、第１コア側ケーブル保持部１６は、フラットケーブル２の垂直部分８の上部（フェライトコア３の上側の垂直部分８）を保持できるように構成されている。
【００２３】
また、第１接続先側ケーブル保持部１８は、板状の第１接続先側ベース板２３と、第１接続先側ベース板２３に開閉可能に備えられた第１接続先側ベースカバー２４を備えている。そして、第１接続先側ベースカバー２４を閉じた状態で、第１接続先側ケーブル保持部１８には、フラットケーブル２の形状に対応する第１接続先側保持スペース２５が形成される。このように、第１接続先側ケーブル保持部１８は、フラットケーブル２の第１水平部分７を第１接続先１７へ向けて保持できるように構成されている。
【００２４】
第２ケーブルケース部６は、コアケース部４から下側に延びる第２コア側ケーブル保持部２６と、フラットケーブル２の第２接続先（第２コネクタなど）に向けて延びる第２接続先側ケーブル保持部２７と、第２コア側ケーブル保持部２６と第２接続先側ケーブル保持部２７の間に介在する第２屈曲部２８を備えている。
【００２５】
第２ケーブルケース部６は、フラットケーブル２の配線経路に沿った形状を有している（図１参照）。すなわち、第２コア側ケーブル保持部２６は、配線経路の垂直部分８の下側部分に対応し、第２接続先側ケーブル保持部２７は、配線経路の第２水平部分９に対応している。そして、第２屈曲部２８は、フラットケーブル２の第２折り曲げ位置１１に対応している。
【００２６】
図３に示すように、第２コア側ケーブル保持部２６は、板状の第２コア側ベース板２９と、第２コア側ベース板２９に開閉可能に備えられた第２コア側ベースカバー３０を備えている。なお、本実施の形態では、第２コア側ベースカバー３０は、コアケース部４の凹ベースカバー１３と一体に形成されている。そして、第２コア側ベースカバー３０を閉じた状態で、第２コア側ケーブル保持部２６には、フラットケーブル２の形状に対応する第２コア側保持スペース３１が形成される。このように、第２コア側ケーブル保持部２６は、フラットケーブル２の垂直部分８の下部（フェライトコア３の下側の垂直部分８）を保持できるように構成されている。
【００２７】
また、第２接続先側ケーブル保持部２７は、板状の第２接続先側ベース板３２と、第２接続先側ベース板３２に開閉可能に備えられた第２接続先側ベースカバー３３を備えている。そして、第２接続先側ベースカバー３３を閉じた状態で、第２接続先側ケーブル保持部２７には、フラットケーブル２の形状に対応する第２接続先側保持スペース３４が形成される。このように、第２接続先側ケーブル保持部２７は、フラットケーブル２の第２水平部分９を第２接続先へ向けて保持できるように構成されている。
【００２８】
以上のように構成されたフラットケーブル用フェライトコアケース１について、図面を用いてフラットケーブル２の配線作業を行うときの動作を説明する。
【００２９】
先ず、従来と同様にして、フェライトコア３のケーブル挿通孔３５にフラットケーブル２を通して、フラットケーブル２にフェライトコア３を取り付ける。
【００３０】
次に、本実施の形態では、図３に示すように、コアケース部４の凹ベースカバー１３を開く。このとき、凹ベースカバー１３とともに、第１コア側ベースカバー２１と第２コア側ベースカバー３０も開かれる。また、第１接続先側ベースカバー２４と第２接続先側ベースカバー３３を開く。
【００３１】
続いて、図４に示すように、コアケース部４の凹ベース１２にフェライトコア３の略半分を収納するとともに、第１コア側ベース板２０と第１接続先側ベース板２３の上にフラットケーブル２の上側部分（垂直部分８の上部と第１水平部分７）を置き、第２コア側ベース板２９と第２接続先側ベース板３２の上にフラットケーブル２の下側部分（垂直部分８の下部と第２水平部分９）を置く。
【００３２】
そして、図５に示すように、コアケース部４の凹ベースカバー１３を閉じる。このようにして、フェライトコア３は、コアケース部４の収納スペース１４に収納され、フラットケーブル２に対して所定の取付け位置に位置決めされて固定される。
【００３３】
このとき、凹ベースカバー１３とともに、第１コア側ベースカバー２１も閉じられる。これによって、フラットケーブル２の垂直部分８の上部が、第１コア側ケーブル保持部１６の第１コア側保持スペース２２内で保持される。そして、第１接続先側ベースカバー２４を閉じる。これによって、フラットケーブル２の第１水平部分７が、第１接続先側ケーブル保持部１８の第１接続先側保持スペース２５内で保持される。そして、フラットケーブル２は、配線経路に沿って第１折り曲げ位置１０で折り曲げられる。
【００３４】
また、このとき、凹ベースカバー１３とともに、第２コア側ベースカバー３０も閉じられる。これによって、フラットケーブル２の垂直部分８の下部が、第２コア側ケーブル保持部２６の第２コア側保持スペース３１内で保持される。そして、第２接続先側ベースカバー３３を閉じる。これによって、フラットケーブル２の第２水平部分９が、第２接続先側ケーブル保持部２７の第２接続先側保持スペース３４内で保持される。そして、フラットケーブル２は、配線経路に沿って第２折り曲げ位置１１で折り曲げられる。
【００３５】
そして、図６に示すように、第１ケーブルケース部５に保持されたフラットケーブル２を第１接続先１７（第１コネクタなど）に差し込む。あるいは、ここでは特に図示しないが、第２ケーブルケース部６に保持されたフラットケーブル２を第２接続先（第２コネクタなど）に差し込む。このとき、コアケース部４の外側に設けられた突出部１５をつまんで、フラットケーブル２の差込み作業を行うことが可能である。
【００３６】
また、フラットケーブル２は、第１接続先側ケーブル保持部１８（または第２接続先ケーブル保持部）に保持されている。したがって、差込み作業を行うときにフラットケーブル２の撓みが抑えられ、フラットケーブル２を第１接続先１７（第１コネクタ）に簡単に差し込むことができる。例えば、図６に示すように、第１接続先１７（第１コネクタ）が筐体３６の内部に取り付けられた基板３７上に設けられている場合であって、筐体３６の差込み口３８が狭い場合であっても、差込み口３８を通してフラットケーブル２を第１接続先１７（第１コネクタ）に簡単に差し込むことができる。
【００３７】
このような発明の実施の形態のフラットケーブル用フェライトコアケース１によれば、フェライトコア３の取付け位置に配置されたコアケース部４と、コアケース部４からフラットケーブル２の第１および第２接続先１７の各々へ向けて屈曲して延びる第１および第２ケーブルケース部５、６を設けることにより、フラットケーブル２にフェライトコア３を容易に位置決めして固定することができ、かつ、フラットケーブル２の配線作業の作業性が向上する。
【００３８】
すなわち、本実施の形態では、コアケース部４の凹ベースカバー１３を開いてフェライトコア３を取付け位置に置き、凹ベースカバー１３を閉じてフェライトコア３を収納する。これにより、フェライトコア３をフラットケーブル２に容易に固定することができる。このとき、フェライトコア３はコアケース部４の収納スペース１４に収納されているので、フェライトコア３の取付け位置が位置決めされる。したがって、フェライトコア３を容易に位置決めして固定することができ、フェライトコア３の取付け位置にばらつき生じるのを抑えることができる。
【００３９】
また、本実施の形態では、第１および第２コア側ケーブル保持部１６、２６の第１および第２コア側ベースカバー２１、３０を開いて第１および第２コア側ベース板２０、２９の上にフラットケーブル２を置き、第１および第２コア側ベースカバー２１、３０を閉じてフラットケーブル２を第１および第２コア側ケーブル保持部１６、２６の第１および第２コア側保持スペース２２、３１内で保持することができる。それと同時に、第１および第２接続先側ケーブル保持部１８、２７の第１および第２接続先側ベースカバー２４、３３を開いて第１および第２接続先側ベース板２３、３２の上にフラットケーブル２を置き、第１および第２接続先側ベースカバー２４、３３を閉じてフラットケーブル２を第１および第２接続先側ケーブル保持部１８、２７の第１および第２接続先側保持スペース２５、３４内で保持することができる。
【００４０】
これにより、差込み口３８を通してフラットケーブル２を第１および第２接続先１７（第１および第２コネクタなど）に差し込むときに、フラットケーブル２が撓むのを抑えることができ、フラットケーブル２を第１および第２接続先１７（第１および第２コネクタなど）に容易に差し込むことができる。本実施の形態では、差込み口３８が狭い場合であり、かつ、ケーブルや部品の損傷を防ぐためにピンセット等の工具の使用が禁止されている場合であっても、上記のようにしてフラットケーブル２を第１および第２接続先１７（第１および第２コネクタなど）に容易に差し込むことができる。
【００４１】
また、本実施の形態では、上記のように配線経路に沿った第１および第２折り曲げ位置１０、１１でフラットケーブル２を簡単に折り曲げることができる。これにより、フラットケーブル２の折り曲げ作業に手間を要することがなく、第１および第２折り曲げ位置１０、１１にばらつきが生じるのを抑えることができる。したがって、フラットケーブル２の配線作業の作業性が向上する。
【００４２】
また、本実施の形態では、差込み口３８を通してフラットケーブル２を第１および第２接続先１７（コネクタなど）に差し込むときに、つまみ部を兼ねた突出部１５をつまんでフラットケーブル２を第１および第２接続先１７（第１および第２コネクタなど）に容易に差し込むことができる。したがって、フラットケーブル２の配線作業の作業性が向上する。
【００４３】
以上、本発明の実施の形態を例示により説明したが、本発明の範囲はこれらに限定されるものではなく、請求項に記載された範囲内において目的に応じて変更・変形することが可能である。
【００４４】
例えば、以上の説明では、フラットケーブル２の配線経路が階段状の配線経路である場合を例示して説明したが、本発明の範囲はこれらに限定されるものではなく、フラットケーブル２の配線経路がその他の形状を有する場合についても同様に実施可能である。
【産業上の利用可能性】
【００４５】
以上のように、本発明にかかるフラットケーブル用フェライトコアケースは、フラットケーブルにフェライトコアを容易に位置決めして固定することができ、かつ、フラットケーブルの配線作業の作業性が向上するという効果を有し、フラットケーブルのノイズ対策用のフェライトコアを収納するフラットケーブル用フェライトコアケース等として有用である。
【図面の簡単な説明】
【００４６】
【図１】本発明の実施の形態におけるフラットケーブル用フェライトコアケース（フェライトコアを収納した状態）の断面図
【図２】本発明の実施の形態におけるフラットケーブル用フェライトコアケースの斜視図
【図３】本発明の実施の形態におけるフラットケーブル用フェライトコアケース（カバーを開いた状態）の斜視図
【図４】本発明の実施の形態におけるフラットケーブル用フェライトコアケース（フェライトコア付きのフラットケーブルを取り付けた状態）の斜視図
【図５】本発明の実施の形態におけるフラットケーブル用フェライトコアケース（カバーを閉じた状態）の斜視図
【図６】本発明の実施の形態におけるフラットケーブル用フェライトコアケースを用いてフラットケーブルを接続先に差し込む様子を示す説明図
【符号の説明】
【００４７】
１  フラットケーブル用フェライトコアケース
２  フラットケーブル
３  フェライトコア
４  コアケース部
５  第１ケーブルケース部
６  第２ケーブルケース部
１２  凹ベース
１３  凹ベースカバー
１５  突出部
１６  第１コア側ケーブル保持部
１７  第１接続先
１８  第１接続先側ケーブル保持部
１９  第１屈曲部
２０  第１コア側ベース板
２１  第１コア側ベースカバー
２３  第１接続先側ベース板
２４  第１接続先側ベースカバー
２６  第２コア側ケーブル保持部
２７  第２接続先側ケーブル保持部
２８  第２屈曲部
２９  第２コア側ベース板
３０  第２コア側ベースカバー
３２  第２接続先側ベース板
３３  第２接続先側ベースカバー
３８  差込み口
【図１】
2007317776.tif 000003
【図２】
2007317776.tif 000004
【図３】
2007317776.tif 000005
【図４】
2007317776.tif 000006
【図５】
2007317776.tif 000007
【図６】
2007317776.tif 000008